(57)【要約】【課題】マッサージ機に取り付けられる使用者の被施療部を施療する施療子について、施療子全体を揺動させることなく、施療子の一部分を使用者の被施療部に対して密着させることで、使用者に対するもみ感を向上させることができるマッサージ機を提供すること及び指圧用パッドを提供することを目的とする。【解決手段】指圧用突起９と、前記指圧用突起９が設けられた揺動部１０と、を備えた指圧用パッド７であり、前記指圧用突起は、前記揺動部の外側にある押上部にも設けられていることを特徴とする。【選択図】      図２
2015192809.tif 000002
【特許請求の範囲】
【請求項１】
指圧用突起と、
前記指圧用突起が設けられた揺動部と、
を備えた指圧用パッドを有することを特徴とするマッサージ機。
【請求項２】
前記指圧用突起は、前記揺動部の外側にある押上部にも設けられていることを特徴とする請求項１に記載のマッサージ機。
【請求項３】
前記指圧用突起は、
前記揺動部に設けられた指圧用突起が、前記押上部に設けられた指圧用突起よりも大きいことを特徴とする請求項２に記載のマッサージ機。
【請求項４】
前記揺動部及び前記押上部は、エアセル又は機械により揺動又は押上げられることを特徴とする請求項２又は３に記載のマッサージ機。
【請求項５】
前記エアセルは、
前記揺動部を揺動させるための第一エアセルと、
前記押上部を押上げるための第二エアセルと、からなることを特徴とする請求項４に記載のマッサージ機。
【請求項６】
前記第一エアセルの膨張量が、前記第二エアセルの膨張量よりも大きくなっていることを特徴とする請求項５に記載のマッサージ機。
【請求項７】
指圧用突起と、
前記指圧用突起が設けられた揺動部と、
を備えていることを特徴とする指圧用パッド。
【発明の詳細な説明】
【技術分野】
【０００１】
本発明は、マッサージ機に関する。より詳しくは、指圧用突起と、指圧用突起が設けられた揺動部とを備えた指圧用パッドを有し、使用者の被施療部に対して密着させることによって、揉み感を向上させることができるマッサージ機及び指圧用パッドに関する。
【背景技術】
【０００２】
従来、本体ケースに支持されて生体部位を施療する施療子と、本体ケース内に配置されたモータと、施療子を本体ケースから出没させるためのクランク機構と、を備えたマッサージ機が知られている。このマッサージ機の本体ケースに支持された施療子は、施療中に使用者の施療部位が移動しないような部材により構成されている。（例えば、特許文献１の図１〜４参照）。
【先行技術文献】
【特許文献】
【０００３】
【特許文献１】特開２００２−１５３５３３号公報
【発明の概要】
【発明が解決しようとする課題】
【０００４】
しかし、上記特許文献１のマッサージ機は、施療子がクランク機構により本体ケースから出没することによって、使用者に対して叩き動作による施療を行うものであり、施療子を使用者の足に対して密着させることができないという問題がある。（例えば、特許文献１の［００１８］、［００１９］）。
【０００５】
そこで本発明は、上述した問題を解消するためになされたものであり、施療子を使用者の被施療部に対して密着させることができるマッサージ機を提供することを目的とする。
【課題を解決するための手段】
【０００６】
本発明は、指圧用突起と、前記指圧用突起が設けられた揺動部と、を備えた指圧用パッドを有することを特徴とする。
このような構成とすることにより、指圧用突起が設けられた揺動部によって、使用者の被施療部に対して密着させることにより、揉み感を向上させることができる。
【０００７】
また、前記指圧用突起は、押上部にも設けられていることが好ましい。
このような構成とすることにより、押上部にも指圧用突起を設けることによって、使用者の施療部位の複数箇所に対して同時に指圧することができる。
【０００８】
また、前記指圧用突起は、揺動部に設けられた指圧用突起が、押上部に設けられた指圧用突起よりも大きいことが好ましい。
このような構成とすることにより、使用者の被施療部、例えば、足部に使用した場合は、足の土踏まず部分をしっかりと押圧することができる。また、使用者の手部に使用した場合は、手の労宮などのツボをしっかりと押圧することができる。
【０００９】
また、前記揺動部及び前記押上部は、エアセル又は機械により揺動又は押上げられることが好ましい。
このような構成とすることにより、揺動部及び押上部を使用者の被施療部に対して密着させることができるため、揉み感を向上させることができる。
【００１０】
また、前記エアセルは、揺動部を揺動させるための第一エアセルと、押上部を押上げるための第二エアセルと、からなることが好ましい。
このような構成とすることにより、揺動部と押上部とでエアセルを別々にすることにより、揺動部のみを揺動させたり、押上部のみを押上げたりすることができるため、容易に体感を変えることができる。
【００１１】
また、前記第一エアセルの膨張量が、前記第二エアセルの膨張量よりも大きくなっていることが好ましい。
このような構成とすることにより、第一エアセルと第二エアセルの両方を膨脹させた場合であっても、第一エアセルでの揉み感を損なわせることなく、しっかりと使用者の被施療部を押圧することができる。
【００１２】
また、指圧用突起と、前記指圧用突起が設けられた揺動部と、を備えていることが好ましい。
このような構成とすることにより、指圧用突起が設けられた揺動部によって、使用者の被施療部に対して密着させることにより、揉み感を向上させることができる。
【発明の効果】
【００１３】
本発明によれば、指圧用突起が設けられた揺動部によって、使用者の被施療部に対して密着させることにより、揉み感を向上させることができる。
【図面の簡単な説明】
【００１４】
【図１】本発明の一実施形態に係る指圧用パッドを備えたマッサージ機の斜視図である。
【図２】指圧用パッドの斜視図である。
【図３】指圧用パッドの側面図である。
【図４】指圧用パッドの平面図である。
【図５】指圧用パッドの動作状態を示す側面図であり、（ａ）は第一エアセルを膨張させた状態の側面図であり、（ｂ）は第二エアセルを膨脹させた状態の側面図であり、（ｃ）は第一エアセルと第二エアセルとを膨張させた状態の側面図である。
【図６】本発明の他の実施形態１に係る指圧パッドの斜視図である。
【図７】本発明の他の実施形態１に係る指圧パッドの側面図である。
【図８】本発明の他の実施形態１に係る指圧パッドの平面図である。
【図９】本発明の他の実施形態２に係る指圧パッドの斜視図である。
【図１０】本発明の他の実施形態２に係る指圧パッドの側面図である。
【図１１】本発明の他の実施形態２に係る指圧パッドの平面図である。
【発明を実施するための形態】
【００１５】
［全体構成］
以下、本発明の一実施形態にかかるマッサージ機１の全体構成について説明する。
なお、以下の説明で用いる方向の概念は、図１に示す起立状態にあるマッサージ機１に着座した使用者から見たときの方向の概念と一致するものとし、左手側が「左」であり、右手側が「右」であり、前側が「前」であり、後側が「後」であり、その他の場合は適宜説明するものとする。
図１は指圧用パッドを備えたマッサージ機の斜視図である。
図２は、指圧用パッドの斜視図である。
図３は、指圧用パッドの側面図である。
図４は、指圧用パッドの平面図である。
【００１６】
図１に示すとおり、本発明のマッサージ機１は、主として、使用者が着座する座部２と、座部の後部に傾倒自在に取り付けられた使用者がもたれる背もたれ部３と、座部の前部に揺動自在に取り付けられた使用者の脚部を支持するフットレスト部４と座部２の両側面に取り付けられた使用者の腕部を支持する肘掛け部５とにより構成させる椅子本体と、椅子本体に取り付けられた使用者の被施療部に対して施療を行う施療部６と、施療部としての指圧用パッド７と、により構成されている。
【００１７】
［指圧用パッドの構成］
マッサージ機１のフットレスト部４に取り付けられた指圧用パッド７の構成について説明する。
なお、押上部とは、「揺動部を中心として、前後左右外側に向かって放射線状に広がった位置にある部分のこと」を指し、図２〜１０の８、２３、２７の部分のことである。
図２〜４に示すとおり、指圧用パット７は、前記指圧用パッド７の平面から見て略中央に指圧用突起９を有しており、前記指圧用突起９は揺動部１０に取り付けられており、押上部８の前方付近と後方付近には、それぞれ前記指圧用突起９とは異なる大きさの指圧用突起１１が複数取り付けられている。
【００１８】
また、前記指圧用パッド７は、略五角形状をなしており、前記揺動部１０周辺を囲むように切り欠き１２が設けられるとともに、ヒンジ部１５が設けられている。具体的には、前記ヒンジ部１５は、前記揺動部１０と前記押上部８とを接続するために設けられている。
そのため、前記ヒンジ部１５を基点として、前記指圧用突起９が取り付けられた揺動部１０が小さい力でも揺動することができるように構成されている。
なお、前記ヒンジ部１５は、前記揺動部１０の前後左右方向のいずれに設けられていても良く、実施例においては、左側に設けられている。
【００１９】
また、前記指圧用パッド７の前方付近には、前記指圧用パッド７がマッサージ機１から脱落してしまうのを防止するための脱落防止穴１３が２箇所設けられている。
前記脱落防止穴１３は、前記マッサージ機１に設けられた脱落防止具（図示せず）に対して取り付けることができるようになっており、前記脱落防止具と前記脱落防止穴１３とを固定することによって、前記指圧用パッド７が前記マッサージ機１から脱落するのを防止することができる。
【００２０】
［指圧用突起の構成］
図３に示すとおり、前記揺動部１０に取り付けられた指圧用突起９は、側面から見て半球状をなしており、半球状の指圧用突起９の上部には、前記半球状の指圧用突起９より小さい半球状の突起１４が取り付けられている。また、前記押上部８に取り付けられた前記指圧用突起１１についても、前記揺動部１０に取り付けられた指圧用突起９と同様の構成となっている。
【００２１】
また、図４に示すとおり、前記指圧用突起９の大きさは、前記押上部８に取り付けられた前記指圧用突起１１の大きさよりも大きくなっている。
このように構成することにより、前記指圧用突起９に対して、足１９の中心部（すなわち、土踏まず部）を自然に合わせることができるため、足１９の大小に関わらず、前記指圧用パッド７に対して適切な位置に足１９を置くことができる。
【００２２】
また、前記指圧用突起９と前記指圧用突起１１との大きさを変えることによって、使用者の足裏の形状、すなわち、つま先部や土踏まず部などの足裏の凹凸に応じて密着させることができるため、もみ感を向上させることができる。
【００２３】
［揺動部の構成］
図４に示すとおり、揺動部１０は、使用者の被施療部を施療するための指圧用突起９と、前記指圧用突起９の上部に取り付けられた突起１４とにより構成されている。
また、前記揺動部１０は、平面から見て逆涙滴型（逆ティアドロップ型）となるように構成されており、前記揺動部１０に対して、駆動部１８が接する面積を大きくすることによって、前記揺動部１０が揺動しやすいようになっている。
【００２４】
また、前記駆動部１８はエアセルによって構成されており、前記駆動部１８が動作することによって、前記揺動部１０を、前記指圧用パッド７のヒンジ部１５を基点として、使用者の被施療部に対して密着させることができる。
【００２５】
［押上部の構成］
図３、４に示すとおり、押上部８には、使用者の被施療部に対して施療を行うための指圧用突起１１が取り付けられており、前記押上部８の下部には、押上部８を揺動させるための駆動部１８が設けられている。
また、前記駆動部１８はエアセルによって構成されており、前記駆動部１８が動作することによって、前記押上部８を使用者の被施療部に対して密着させることができる。
【００２６】
また、指圧用パッド７は、使用者の被施療部に対応する位置に取り付けられていればよく、前記マッサージ機１の腕部や肩部・脹脛に設けられた施療部６の上、座部の上や側面といった様々な部位に取り付けることができる。
【００２７】
［駆動部の構成］
図３〜５に示すとおり、駆動部１８は、前記指圧用パッド７の揺動部１０及び押上部８の下部に設けられており、前記揺動部１０を揺動させるための第一エアセル１６と前記押上部８を押上げるための第二エアセル１７とにより構成されている。
【００２８】
また、前記第一エアセル１６と第二エアセル１７とは、別個独立して駆動することができる。
また、前記駆動部１８は、エアセルに代えて機械式（例えば、クランク機構やバネ）によるものでもよい。
【００２９】
図５（ｃ）に示すとおり、前記駆動部１８の前記第一エアセル１６の膨脹量が、前記第二エアセルの膨脹量よりも大きくなるように構成されており、駆動部１８全体を駆動させた場合であっても、足裏の凹凸に対して密着させることができる。
【００３０】
［他の実施形態１の構成］
以下、本発明の他の実施形態に係るマッサージ機１に備えられた指圧用パッド２０の構成について説明する。
図６は、本発明の他の実施形態１に係るマッサージ機の指圧用パッド２０を示す図であり、前記指圧用パッド２０は、指圧用突起２１と、前記指圧用突起２１が取り付けられた揺動部２２と、押上部２３とによって、構成されている。
なお、前記指圧用パッド２０の各部の構成については、上述の実施形態と異なる構成についてのみ説明する。
【００３１】
［指圧用パッドの構成］
図６〜８に示すとおり、前記指圧用パッド２０は、使用者の施療部の足部を模した形状を有しており、足の親指には、前記指圧用パッド２０がマッサージ機１から脱落してしまうことを防ぐための脱落防止穴２４が１箇所設けられている。
前記脱落防止穴２４は、前記マッサージ機１に設けられた脱落防止具（図示せず）に対して取り付けることができるようになっており、前記脱落防止具と前記脱落防止穴２４とを固定することによって、前記指圧用パッド２０が前記マッサージ機１から脱落するのを防止することができる。
また、揺動部２２は、略四角形となるように構成されている。
このように構成することにより、前記揺動部２２を揺動させるための駆動部１８が大型化することを防ぐことができる。
【００３２】
なお、前記指圧用パッド２０については、使用者の施療部を模した形状を有していればよく、手部を模した形状としてもよい。
このように構成することにより、使用者が当該指圧用パッド２０を使用する部位を適切に選択することができる。
【００３３】
また、指圧用パッド２０は、使用者の被施療部に対応する位置に取り付けられていればよく、前記マッサージ機１の腕部や肩部、脹脛に設けられた施療部６の上、座部の上といった様々な部位に取り付けることができる。
【００３４】
［他の実施形態２の構成］
［指圧用パッドの構成］
図９は、本発明の他の実施形態２に係るマッサージ機の指圧用パッド２４を示す図であり、前記指圧用パッド２４は、指圧用突起２５と、前記指圧用突起２５が取り付けられた揺動部２６と、押上部２７とによって、構成されている。
【００３５】
図９〜１１に示すとおり、前記指圧用パッド２４は、使用者の施療部の足部を模した形状を有しており、足の親指には、前記指圧用パッド２４がマッサージ機１から脱落してしまうことを防ぐための脱落防止穴２８が１箇所設けられている。
前記脱落防止穴２８は、前記マッサージ機１に設けられた脱落防止具（図示せず）に対して取り付けることができるようになっており、前記脱落防止具と前記脱落防止穴２８とを固定することによって、前記指圧用パッド２４が脱落するのを防止することができる。
また、揺動部２６は、略四角形となるように構成されている。
このように構成することにより、前記揺動部２６を揺動させるための駆動部１８が大型化することを防ぐことができる。
【００３６】
なお、前記指圧用パッド２４については、使用者の施療部を模した形状を有していればよく、手部を模した形状としてもよい。
このように構成することにより、使用者が当該指圧用パッド２４を使用する部位を適切に選択することができる。
【００３７】
また、図１０に示すとおり、前記指圧用パッド２４に取り付けられた指圧用突起２５は、側面から見て上部が平らに凹んだとなった略半球状となっている。
このように構成することにより、使用者の施療部と接する指圧用突起２５の先端部の面積を大きくすることができるため、使用者に対して与える刺激を少なくすることができる。
【００３８】
また、指圧用パッド２４は、使用者の被施療部に対応する位置に取り付けられていればよく、前記マッサージ機１の腕部や肩部、脹脛に設けられた施療部６の上、座部の上といった様々な部位に取り付けることができる。
【産業上の利用可能性】
【００３９】
本発明は、指圧用突起が設けられた揺動部によって、使用者の被施療部に対して密着させることにより、揉み感を向上させることができるマッサージ機及び指圧用パッドに適用することができる。
【符号の説明】
【００４０】
指圧用突起  ９、２１、２５
揺動部    １０、２２、２６、
指圧用パッド  ７、２０、２４、
押上部  ８、２３、２７
駆動部  １８
第一エアセル  １６
第二エアセル  １７
【図１】
2015192809.tif 000003
【図２】
2015192809.tif 000004
【図３】
2015192809.tif 000005
【図４】
2015192809.tif 000006
【図５】
2015192809.tif 000007
【図６】
2015192809.tif 000008
【図７】
2015192809.tif 000009
【図８】
2015192809.tif 000010
【図９】
2015192809.tif 000011
【図１０】
2015192809.tif 000012
【図１１】
2015192809.tif 000013